(57)【要約】【課題】フレクシャと一体成形されたロングテイルＦＰＣのフライングリード部の強度が弱いという問題があった。【解決手段】ロングテイルＦＰＣ６のフライングリード７の両端の樹脂層による積層部（支持部）１３を金属枠１４で補強する。ロングテイルＦＰＣ６の折り曲げ部９を９０゜折り返して、フライングリード７をキャリッジ２０の揺動回転軸２１に平行となるよう配置し、メインＦＰＣ基板２４の接続パッド２６に半田１８で接合する。【選択図】  図２
2004335042.tif 000002
【特許請求の範囲】
【請求項１】
端部がフライングリード構造である配線パターンが形成され、ヘッドスライダを支持するフレクシャと、該フレクシャを支持し前記ヘッドスライダに荷重を与えるロードビームと、該ロードビームを支持するマウントとを有し、前記フライングリードの両端を覆う樹脂層の片側を、当該フライングリードおよび前記配線パターンから電気的に絶縁された金属枠で支持したことを特徴とするヘッド支持機構。
【請求項２】
端部がフライングリード構造である配線パターンが形成され、ヘッドスライダを支持するフレクシャと、該フレクシャを支持するロードビームと、該ロードビームを支持し前記ヘッドスライダに荷重を与えるヒンジと、該ヒンジを支持するマウントとを有し、前記フライングリードの両端を覆う樹脂層の片側を、当該フライングリードおよび前記配線パターンから電気的に絶縁された金属枠で支持したことを特徴とするヘッド支持機構。
【請求項３】
前記金属枠はステンレスで構成されることを特徴とする請求項１又は２記載のヘッド支持機構。
【請求項４】
端部がフライングリード構造である配線パターンが形成されヘッドスライダを支持するフレクシャと、該フレクシャを支持し前記ヘッドスライダに荷重を与えるロードビームと、該ロードビームを支持するマウントとを有し、前記フライングリードの両端を覆う樹脂層の片側を、当該フライングリードおよび前記配線パターンから電気的に絶縁された金属枠で支持したヘッド支持機構と、ピボットに揺動可能に装着され一端にコイルを有し他端に前記ヘッド支持機構がマウントを介して取付けられたキャリッジアームを有するキャリッジと、前記コイルに磁界を印加する磁気回路と、回転軸に装着された磁気ディスクとを具備することを特徴とする磁気ディスク装置。
【請求項５】
端部がフライングリード構造である配線パターンが形成されヘッドスライダを支持するフレクシャと、該フレクシャを支持するロードビームと、該ロードビームを支持し前記ヘッドスライダに荷重を与えるヒンジと、該ヒンジを支持するマウントとを有し、前記フライングリードの両端を覆う樹脂層の片側を、当該フライングリードおよび前記配線パターンから電気的に絶縁された金属枠で支持したヘッド支持機構と、ピボットに揺動可能に装着され一端にコイルを有し他端に前記ヘッド支持機構がマウントを介して取付けられたキャリッジアームを有するキャリッジと、前記コイルに磁界を印加する磁気回路と、回転軸に装着された磁気ディスクとを具備することを特徴とする磁気ディスク装置。
【発明の詳細な説明】
【０００１】
【発明の属する技術分野】
本発明はコンピュータの外部記憶装置に用いられる磁気ディスク装置に係り、特にヘッド支持機構のフレクシャと一体成形されるロングテイルＦＰＣのフライングリード部の構造に関する。
【０００２】
【従来の技術】
磁気ディスク装置は、回転する磁気ディスクに対し、フレクシャで支持されたヘッドスライダを浮上させ、情報の記録・再生を行う。記録周波数の帯域向上を目的として、ヘッドスライダからの信号線を中継ＦＰＣを介してメインＦＰＣ基板の接続端子に電気的に接続するショートテイルと呼ばれる方式から、フレクシャとメインＦＰＣ基板との接続部までの薄膜配線パターン部が一体となったロングテイル方式が主流となってきている。
【０００３】
ロングテイル方式の場合、メインＦＰＣ基板の接続端子との接続部分の薄膜配線パターンが剥き出しとなった、いわゆるフライングリードが用いられ、半田、またはＵＳＢ（Ｕｌｔｒａｓｏｎｉｃ  Ｂｏｎｄｉｎｇ）によってメインＦＰＣ基板の接続端子との接続が行われている。
【０００４】
特許文献１には、ロングテイルＦＰＣの磁気ヘッド素子側の端子は磁気ヘッド素子にワイヤボンディングし、逆側のフライングリードはメインＦＰＣのパッドに低酸素雰囲気中で半田で接合する技術が開示されている。
【０００５】
【特許文献１】
特開２００２−３２４８２３号公報（第３頁、第７頁、図４、図１６）
【０００６】
【発明が解決しようとする課題】
フライングリードをキャリッジの揺動回転軸に平行になるよう配置すると、フライングリードの、メインＦＰＣ基板の接続端子への接続部面積を広くとることが可能になるが、フライングリードを支持するポリイミドと薄膜配線パターンからなる積層部が細くなり、強度が弱くなるという問題点がある。
【０００７】
本発明の目的は、ロングテイルＦＰＣのフライングリード部の強度を確保し、接続信頼性の高いヘッド支持機構を提供することである。
【０００８】
本発明の他の目的は、ロングテイルＦＰＣのフライングリード部の接続信頼性が高いヘッド支持機構を搭載した磁気ディスク装置を提供することである。
【０００９】
【課題を解決するための手段】
上記目的を達成するために本発明のヘッド支持機構は、端部がフライングリード構造である配線パターンが形成され、ヘッドスライダを支持するフレクシャと、フレクシャを支持し前記ヘッドスライダに荷重を与えるロードビームと、ロードビームを支持するマウントとを有し、前記フライングリードの両端を覆う樹脂層の片側を、フライングリードおよび配線パターンから電気的に絶縁された金属枠で支持したことを特徴とする。
【００１０】
上記目的を達成するために本発明のヘッド支持機構は、端部がフライングリード構造である配線パターンが形成され、ヘッドスライダを支持するフレクシャと、フレクシャを支持するロードビームと、ロードビームを支持し前記ヘッドスライダに荷重を与えるヒンジと、ヒンジを支持するマウントとを有し、前記フライングリードの両端を覆う樹脂層の片側を、フライングリードおよび配線パターンから電気的に絶縁された金属枠で支持したことを特徴とする。
【００１１】
前記金属枠はステンレスで構成される。
【００１２】
上記目的を達成するために本発明の磁気ディスク装置は、端部がフライングリード構造である配線パターンが形成されヘッドスライダを支持するフレクシャと、フレクシャを支持し前記ヘッドスライダに荷重を与えるロードビームと、ロードビームを支持するマウントとを有し、前記フライングリードの両端を覆う樹脂層の片側を、当該フライングリードおよび前記配線パターンから電気的に絶縁された金属枠で支持したヘッド支持機構と、ピボットに揺動可能に装着され一端に前記ヘッド支持機構がマウントを介して取付けられたキャリッジアームを有し他端にコイルを有するキャリッジと、前記コイルに磁界を印加する磁気回路と、回転軸に装着された磁気ディスクとを具備することを特徴とする。
【００１３】
上記目的を達成するために本発明の磁気ディスク装置は、端部がフライングリード構造である配線パターンが形成されヘッドスライダを支持するフレクシャと、フレクシャを支持するロードビームと、ロードビームを支持し前記ヘッドスライダに荷重を与えるヒンジと、ヒンジを支持するマウントとを有し、前記フライングリードの両端を覆う樹脂層の片側を、当該フライングリードおよび前記配線パターンから電気的に絶縁された金属枠で支持したヘッド支持機構と、ピボットに揺動可能に装着され一端に前記ヘッド支持機構がマウントを介して取付けられたキャリッジアームを有し他端にコイルを有するキャリッジと、前記コイルに磁界を印加する磁気回路と、回転軸に装着された磁気ディスクとを具備することを特徴とする。
【００１４】
【発明の実施の形態】
本発明の一実施例を図面により説明する。図１はヘッド支持機構１の全体構成を示す平面図である。図２は図１のＡ−Ａ線断面図であり、フライングリード７部分の構成を示す図である。図３は図１に示したヘッド支持機構１をキャリッジ２０に複数組込んだヘッド・スタック・アセンブリ（以下、ＨＳＡと称す）の構成を示す斜視図である。図４は図１に示したヘッド支持機構１のフライングリード７をメインＦＰＣ基板２４の接続パッド２６に半田１８で接合した状態を示す断面図である。図５は図３に示したＨＳＡを実装した磁気ディスク装置の構成を示す図である。
【００１５】
図１においてヘッド支持機構１は、情報の記録・再生を行うヘッドスライダ（図示せず）を把持するフレクシャ２と、フレクシャ２が取付けられるロードビーム３と、ロードビーム３が取付けられヘッドスライダに荷重を与えるヒンジ４と、ヒンジ４が取付けられるマウント５とで構成される。フレクシャ２、ロードビーム３、ヒンジ４、マウント５の基材はステンレス鋼板等である。フレクシャ２には、基材上にベースポリイミド、配線パターン、カバーポリイミドの積層構造からなるロングテイルＦＰＣ６が一体に形成される。ロングテイルＦＰＣ６はマウント５の後端（ロードビーム３と反対側）より延伸したテイル８と、その端部に接続部７を有する。この接続部７がフライングリードを構成している。
【００１６】
図２に示すようにフライングリード７の両端は、配線パターン１１がベースポリイミド１０、カバーポリイミド１２の樹脂層で覆われた積層部１３に支持され、さらにフライングリード７の両端を支持した積層部１３の外側が、フライングリード７および配線パターン１１からベースポリイミド１０によって電気的に絶縁された金属枠１４により支持されている。金属枠１４はステンレス鋼鈑等で形成され、フライングリード７の外周部を補強する枠体である。フライングリード７は、ヘッド支持機構１のマウント５後端より延伸したテイル８に対し約９０度にテイル８を横切る方向に配置される。
【００１７】
図３に示すようにヘッド支持機構１は、キャリッジ２０のキャリッジアーム２２にマウント５を接合して取付けられる。キャリッジ２０はピボット（揺動回転軸）２１に揺動可能に装着される。キャリッジ２０のキャリッジアーム２２と反対側には回転駆動力を発生させるコイル２３が取付けられている。キャリッジ２０の側面にはメインＦＰＣ基板２４が取付けられ、メインＦＰＣ基板２４には記録・再生用ＩＣ２５が搭載されている。メインＦＰＣ基板２４のフレクシャ側にはフライングリード７が半田付けされる接続パッド２６が形成されている（図４参照）。メインＦＰＣ基板２４のコイル側は接続パッド２６に電気的に接続されたメインＦＰＣ２８（図５参照）が延伸している。
【００１８】
ロングテイルＦＰＣ６のテイル８の部分は、キャリッジアーム２２に沿って配置され、キャリッジアーム２２の爪部に掛け止められている。フライングリード７の部分を図１の状態からテイル８の折り曲げ部９で略９０度に折り返すことにより、図３に示すようにフライングリード７がキャリッジ２０の揺動回転軸２１に平行に配置される。続いて図３及び図４に示すように、フライングリード７をメインＦＰＣ基板２４の接続パッド２６の上に配置し、半田１８を覆い被せることで接合する。
【００１９】
上記実施例によると、フライングリード７がキャリッジ２０の揺動回転軸２１と略平行に配置されているので、メインＦＰＣ基板２４の接続パッド２６との接続部の強度を増すためにフライングリード７の幅を広くしても、ヘッド・スタック・アセンブリ（ＨＳＡ）のヘッド支持機構１の積層ピッチが広くならず、多数のヘッド支持機構１をキャリッジ２０に実装することができる。また、フライングリード７の両端を支持した積層部１３の外側が金属枠１４により支持されているので、積層部１３の強度を確保することができる。したがって、フライングリード７と接続パッド２６の接合を強固にすることができる。さらに、この構造によれば、半田１８による接合の具合が接合後外観で確認できるので、信頼性を確保することができる。
【００２０】
なお、上記実施例では、ロードビーム３とヒンジ４が別部品で構成されているが、これらが一体でありロードビームがヘッドスライダに荷重を掛けるサスペンション構造においても、上記実施例と同様の効果が得られる。
【００２１】
上記実施例によるヘッド・スタック・アセンブリ（ＨＳＡ）を搭載した磁気ディスク装置の構成を図５に示す。磁気ディスク装置はヘッド・ディスク・アッセンブリ（ＨＤＡ）３０と、信号処理基板４０で構成される。ＨＤＡ３０はデータを記録する磁気ディスク３１と、磁気ディスク３１を装着したスピンドル（回転軸）３２と、磁気ディスク３１に対してデータの記録および再生を行うヘッドスライダ（図示せず）を具備するＨＳＡと、キャリッジ２０に揺動運動を与えるボイス・コイル・モータ（Ｖｏｉｃｅ  Ｃｏｉｌ  Ｍｏｔｏｒ：ＶＣＭ）３３とで構成される。ＨＤＡ３０の基本的な動作は、フレクシャ２に把持されたヘッドスライダが、回転する磁気ディスク３１上に微少隙間を保って浮上し、ＶＣＭ３３によってキャリッジ２０を揺動回転軸２１を中心として回転させることにより、スライダヘッドを磁気ディスク３１の半径方向に移動し、データの記録再生を行う。
【００２２】
信号処理基板４０は、信号処理回路４１と、ハードディスク・コントローラ（ＨＤＣ）４２と、外部装置と接続するインタフェース４３とで構成される。ＨＤＡ３０と信号処理基板４０との電気的接続はコネクタ２７とコネクタ４４にて行われる。
【００２３】
磁気ディスク装置の稼動時に、ＨＳＡが高速シークを行ったり、暴走した場合、ロングテイルＦＰＣ６のテイル８にシーク方向に慣性力が作用し、フライングリード７の接続部に引剥がし力が加わるが、上記の通りフライングリード７の両端を支持した樹脂層（積層部）１３の外側が金属枠１４により支持されているので、積層部１３及び接続部の強度を確保することができる。したがって、ＨＳＡのシーク動作や暴走に対して、フライングリード部の接続の信頼性が高い磁気ディスク装置を実現することが可能となる。
【００２４】
【発明の効果】
以上の説明のとおり本発明によれば、フライングリード部分の強度を確保することができるので、ロングテイルＦＰＣの接続信頼性を向上することができる。また、ヘッド支持機構の実装性が良く信頼性が高い磁気ディスク装置を実現することができる。
【図面の簡単な説明】
【図１】本発明の一実施例によるヘッド支持機構を示す平面図である。
【図２】図１のＡーＡ線断面図である。
【図３】図１のヘッド支持機構を実装したヘッド・スタック・アセンブリの斜視図である。
【図４】本発明の一実施例によるヘッド支持機構のフライングリードの接続構造を示す断面図である。
【図５】図３のヘッド・スタック・アセンブリを実装した磁気ディスク装置の構成図である。
【符号の説明】
１…ヘッド支持機構、２…フレクシャ、３…ロードビーム、４…ヒンジ、
５…マウント、６…ロングテイルＦＰＣ、７フライングリード、８…テイル
９…折り曲げ部、１０…ベースポリイミド、１１…薄膜配線パターン、
１２…カバーポリイミド、１３…積層部、１４…金属枠、１８…半田、
２０…キャリッジ、２１…揺動回転軸、２２…キャリッジアーム、２３…コイル、２４…メインＦＰＣ基板、２５…記録再生用ＩＣ、２６…接続パッド、
２８…メインＦＰＣ。
【図１】
2004335042.tif 000003
【図２】
2004335042.tif 000004
【図３】
2004335042.tif 000005
【図４】
2004335042.tif 000006
【図５】
2004335042.tif 000007